(57)【要約】【課題】衣類の出し入れに邪魔にならず、袖を傷めたり挟んだりしないようにできる洋服タンス用衣類保護具を提供する。【解決手段】棒状の保護バー１１と、保護バー１１を洋服タンスＡの側壁３に取付け、かつ、保護バー１１を垂直に立てた状態とほぼ水平に倒した状態とに保持する取付け金具１４とからなる。保護バー１１は、外筒１２と内筒１３とからなり、内筒１３は外筒１２にねじ込んで、長さを調整できる。取付金具１４は、保護バー１１を垂直に立てた状態を保持する垂直保持具１８と、保護バー１１がほぼ水平に倒した状態を保持する水平ストッパー１７を有する。保護バー１１を水平に倒しておくと、洋服の袖を内側へ押しやるので、戸で傷つけたり挟んだりすることがない。しかも、保護バー１１を立てておくと洋服の出し入れの邪魔にならず使い勝手がよい。【選択図】図１
0003112425.tif 000002
【実用新案登録請求の範囲】
【請求項１】
棒状の保護バーと、
該保護バーを洋服タンスの側壁に取付け、かつ、該保護バーを垂直に立てた状態とほぼ水平に倒した状態とに保持する取付け金具とからなる
ことを特徴とする洋服タンス用衣類保護具。
【請求項２】
前記保護バーが、外筒と内筒とからなり、前記内筒は前記外筒にねじ込んで、長さを調整できるようにしている
ことを特徴とする請求項１記載の洋服タンス用衣類保護具。
【請求項３】
前記取付け金具が、前記保護バーを垂直に立てた状態を保持する垂直保持具と、前記保護バーがほぼ水平に倒した状態を保持する水平ストッパーとを有する
ことを特徴とする請求項１記載の洋服タンス用衣類保護具。
【請求項４】
請求項１，２または３記載の洋服タンス用衣類保護具を、洋服タンスの側壁における前方部分に取付けた
ことを特徴とする洋服タンス。
【考案の詳細な説明】
【技術分野】
【０００１】
本考案は、洋服タンス用衣類保護具および洋服タンスに関する。さらに詳しくは、洋服タンスの戸を閉めるとき、内部に吊るしたスーツやコート等の袖などを、こすったり挟み込まないようにする衣類保護具と洋服タンスに関する。
【背景技術】
【０００２】
一般家庭においては、衣類（主としてスーツやオーバーコートなど）は主としてハンガーに掛けて洋服タンスに収納して保管される。
一般に使用されている洋服タンスの奥ゆき寸法は、特別なものを除いて５５〜６０ｃｍが標準であるので、大柄な人のスーツやコートの袖は完全に収まりきらないことがある。
このため、引き戸を備えた洋服タンスでは、戸の内面で袖口をこすって生地を傷めることになる。また、観音開きの戸では、開閉に際して左右の戸の端部間に挟みこむ事態が生じ易い。この場合、一々袖を洋服タンス内に手で押し込むが面倒である。
【０００３】
そのような不都合を解消するために、特許文献１のクローゼットが提案されている。このクローゼットでは、棒状の保護杆をクローゼット内の面前に２本の紐で吊下げたものである。
しかし、この従来例では、戸を開いたとき、いつも保護杆が前面に横たわっているので、衣類の出し入れの邪魔になって、取扱いが面倒である、という問題がある。
【０００４】
【特許文献１】実用新案登録第３０２４０１３号
【考案の開示】
【考案が解決しようとする課題】
【０００５】
本考案は上記事情に鑑み、衣類の出し入れに邪魔にならず、袖を傷めたり挟んだりしないようにできる洋服タンス用衣類保護具および洋服タンスを提供することを目的とする。
【課題を解決するための手段】
【０００６】
第１考案の洋服タンス用衣類保護具は、棒状の保護バーと、該保護バーを洋服タンスの側壁に取付け、かつ、該保護バーを垂直に立てた状態とほぼ水平に倒した状態とに保持する取付け金具とからなることを特徴とする。
第２考案の洋服タンス用衣類保護具は、第１考案において、前記保護バーが、外筒と内筒とからなり、前記内筒は前記外筒にねじ込んで、長さを調整できるようにしていることを特徴とする。
第３考案の洋服タンス用衣類保護具は、第１考案において、前記取付け金具が、前記保護バーを垂直に立てた状態を保持する垂直保持具と、前記保護バーがほぼ水平に倒した状態を保持する水平ストッパーとを有することを特徴とする。
第４考案の洋服タンスは、請求項１，２または３記載の洋服タンス用衣類保護具を、洋服タンスの側壁における前方部分に取付けたことを特徴とする。
【考案の効果】
【０００７】
第１考案によれば、取付け金具によって保護バーを洋服タンスの側壁に取付けることができる。そして、保護バーを水平に倒しておくと、洋服の袖を内側へ押しやるので、戸で傷つけたり挟んだりすることがない。しかも、保護バーを立てておくと洋服の出し入れの邪魔にならず使い勝手がよい。
第２考案によれば、保護バーの長さを内筒のねじ込み量で調整できるので、洋服タンスの幅寸法に合わせて適切な長さに調整できる。
第３考案によれば、保護バーを水平ストッパーで水平に保持でき、この状態で袖口のこすりや挟み込みを防止でき、垂直保持具で垂直に立てておけば、衣類の出し入れを邪魔することがない。
第４考案によれば、洋服タンスに保護バーが取付けられているので、保護バーを水平に倒しておくと、洋服の袖を内側へ押しやるので、戸で傷つけたり挟んだりすることがない。しかも、保護バーを立てておくと洋服の出し入れの邪魔にならず使い勝手がよい。
【考案を実施するための最良の形態】
【０００８】
つぎに、本考案の実施形態を図面に基づき説明する。
図１は本考案の一実施形態に係る衣類保護具を備えた洋服タンスの正面図である。図２は図１の洋服タンスの縦断面図である。
図１および図２において、Ａは洋服タンス、Ｂは衣類保護具である。洋服タンスＡは、天井１、底板２、左右の側壁３、奥壁４を有し、前面に戸５，５を有している。６は取手である。
天井１より少し下方で、左右の側壁３，３間には、ハンガーＨを掛けるための掛け具８が横架されている。
【０００９】
上記の洋服タンスＡは、家具として作ったものであるが、建物に作りつけた、いわゆるクローゼットと称されるものも、本考案の洋服タンスＡに含まれる。
また、図示の戸５，５は観音開き式であるが、引き戸式のものであってもよい。
衣類保護具Ｂは、左右の側壁３，３に一セットずつ設けているが、長さの長いものを、いずれか片方の側壁３に設けてもよい。
【００１０】
衣類保護具Ｂを図３および図４に基づき説明する。
１１は保護バーであって、外筒１２と内筒１３からなる。内筒１３の根元には雄ネジが形成され、内筒１２の先端には雄ネジが形成されて、互いに螺合するようになっている。したがって、内筒１３の外筒１２に対するねじ込み量を加減することで、保護バー１１の長さを可変に調整することができる。
１４は取付金具である。この取付金具１４はクレビス１５と、ピン１６からなり、外筒１２の根元を揺動自在に取付けている。
また、取付金具１４の下部には水平ストッパ１７を設けており、保護バー１１を水平に保持するようになっている。
【００１１】
図４に示す符号１８は、垂直保持具で弾力性のある金属あるいはプラスチック等で、基部18aと湾曲部18bとからなり、先端側はハの字状に開いている。基部18aはネジその他適宜の固定手段でタンスの側壁３に取付けられる。
保護バー１１の外筒には、先端の開口部から出し入れでき、湾曲部18bで弾性的に保持される。
【００１２】
図１および図２に示すように、衣類保護具Ｂは洋服タンスＡの側壁３の一方あるいは双方に取付けられる。
通常は保護バー１１を水平に倒しておく。この場合、ハンガーＨで掛け具８から吊り下げた洋服Ｃの袖口（Ｓ）は保護バー１１によって内側に軽く押され戸５に当ったり、挟まれたりすることが阻止される。
そして、保護バー１１を垂直に立て垂直保持具１８で保持しておけば、衣類の出し入れに邪魔なものはなく、簡単に出し入れすることができる。
【００１３】
上記実施形態では、垂直保持具１８は取付金具１４から離れた別部材であるが、この垂直保持具１８を取付金具１４の上部に一体的に形成したものであってもよい。
【図面の簡単な説明】
【００１４】
【図１】本考案の一実施形態に係る衣類保護具を備えた洋服タンスの正面図である。
【図２】図１の洋服タンスの縦断面図である。
【図３】（Ａ）図は衣類保護具の平面断面図、（Ｂ）図は側面図である。
【図４】垂直保持具の拡大平面図である。
【符号の説明】
【００１５】
Ａ  洋服タンス
Ｂ  衣類保護具
３  側壁
５  戸
１１  保護バー
１４  取付金具
１８  垂直保持具
【図１】
0003112425.tif 000003
【図２】
0003112425.tif 000004
【図３】
0003112425.tif 000005
【図４】
0003112425.tif 000006